(57)【要約】【課題】  移載装置取付点部分の見栄えを良くするようにする。【解決手段】  少なくとも、インストルメントパネル１２と、インストルメントパネル１２の内部に配設された車体側メンバ１４とを備え、インストルメントパネル１２が両側部にベンチレータグリル１５を取付けるベンチレータグリル取付部１６を有すると共に、車体側メンバ１４が両端部にサイドブラケット１７を有するコックピットモジュール構造であって、サイドブラケット１７に移載装置取付点２１を設け、移載装置取付点２１をベンチレータグリル取付部１６の外側に位置させると共に、ベンチレータグリル１５の外側部分に移載装置取付点２１を隠すカバー２２を一体的に設けるようにしている。【選択図】        図４
2005178496.tif 000002
【特許請求の範囲】
【請求項１】
少なくとも、インストルメントパネルと、該インストルメントパネルの内部に配設された車体側メンバとを備え、インストルメントパネルが両側部にベンチレータグリルを取付けるベンチレータグリル取付部を有すると共に、車体側メンバが両端部にサイドブラケットを有するコックピットモジュール構造において、
前記サイドブラケットに移載装置取付点を設け、該移載装置取付点を前記ベンチレータグリル取付部の外側部近傍に位置させると共に、ベンチレータグリルの外側部分に移載装置取付点を隠すカバーを一体的に設けたことを特徴とするコックピットモジュール構造。
【発明の詳細な説明】
【技術分野】
【０００１】
この発明は、コックピットモジュール構造に関するものである。
【背景技術】
【０００２】
自動車などの車両は、従来、製造ライン上で、車体フレームに各種部品を順次組付けて行くことにより製造されていた。
【０００３】
しかし、製造ライン上で、車体フレームに対して全ての部品を順番に組付けて行くのは、作業性が良くなかった。
【０００４】
そこで、近年、関連のある部品を予め組立ててモジュール化したものを車体フレームに一度に搭載することが行われつつあり、これによって、車両の生産能率を大幅に向上したり、製造コストを低減することが可能となった。
【０００５】
このような車両用モジュールには、インストルメントパネル廻りをモジュール化したコックピットモジュール（例えば、特許文献１参照）などがある。
【０００６】
上記特許文献１では、図５に示すように、コックピットモジュール１は、少なくとも、インストルメントパネル２と、このインストルメントパネル２の内部に配設された図示しない車体側メンバとを備えている。
【０００７】
そして、架台３上で組立てられたコックピットモジュール１は、助力装置などの移載装置４を用いて車体フレームへ搭載される。そのために、インストルメントパネル２正面の両側部近傍に形成された取付孔５を通して図示しない車体側メンバに設けられたブラケット取付座へ保持用ブラケット６を取付け、この保持用ブラケット６を助力装置などの移載装置４で把持することにより重量物であるコックピットモジュール１を持上げ得るようにしている。保持用ブラケット６は、車体フレームへの搭載後に上記ブラケット取付座から取外され、このブラケット取付座は、取付孔５に図示しないカバー部材を取付けることによって隠されることとなる。
【特許文献１】特開２００３−４８４５７号公報
【発明の開示】
【発明が解決しようとする課題】
【０００８】
しかしながら、上記特許文献１に記載されたコックピットモジュール１では、インストルメントパネル２正面の両側部に、保持用ブラケット６を取付けるための取付孔５およびカバー部材が存在するため、見栄えが悪いという問題があった。
【課題を解決するための手段】
【０００９】
上記課題を解決するために、請求項１に記載された発明では、少なくとも、インストルメントパネルと、該インストルメントパネルの内部に配設された車体側メンバとを備え、インストルメントパネルが両側部にベンチレータグリルを取付けるベンチレータグリル取付部を有すると共に、車体側メンバが両端部にサイドブラケットを有するコックピットモジュール構造において、前記サイドブラケットに移載装置取付点を設け、該移載装置取付点を前記ベンチレータグリル取付部の外側部近傍に位置させると共に、ベンチレータグリルの外側部分に移載装置取付点を隠すカバーを一体的に設けたコックピットモジュール構造を特徴としている。
【発明の効果】
【００１０】
請求項１の発明によれば、サイドブラケットに移載装置取付点を設け、移載装置取付点をベンチレータグリル取付部の外側部近傍に位置させることにより、移載装置取付点を正面から見えなくし、且つ、移載装置取付点の近傍にベンチレータグリルを配置することができるので、見栄えが向上する。また、ベンチレータグリルの外側部分に移載装置取付点を隠すカバーを一体的に設けることにより、部品点数および組付工数を減らしてコストを低減することができる。
【発明を実施するための最良の形態】
【００１１】
移載装置取付点部分の見栄えを良くするという目的を、サイドブラケットに移載装置取付点を設け、移載装置取付点をベンチレータグリル取付部の外側部近傍に位置させると共に、ベンチレータグリルの外側部分に移載装置取付点を隠すカバーを一体的に設ける、という手段で実現した。
【実施例】
【００１２】
以下、本発明を具体化した実施例について、図示例と共に説明する。
【００１３】
図１〜図４は、この発明の実施例を示すものである。
【００１４】
まず、構成を説明すると、コックピットモジュール１１は、少なくとも、インストルメントパネル１２と、このインストルメントパネル１２の内部に配設された車体側メンバ１４とを備えている。なお、インストルメントパネル１２の表面には、必要に応じて化粧パッド１３などが取付けられる（図４参照）。車体側メンバ１４は、略車幅方向に延設されるステアリングサポートメンバなどの強度部材である。
【００１５】
そして、インストルメントパネル１２は、両側部にベンチレータグリル１５を取付けるベンチレータグリル取付部１６を有している（図３、図４参照）。また、車体側メンバ１４は、両端部に車体の左右のサイドフレームに取付けるためのサイドブラケット１７を有している。ここで、ベンチレータグリル１５は、図４に示すように、ベンチレータダクト１８に連結可能なダクト部１５ａと、インストルメントパネル１２または化粧パッド１３などと面一に形成されるフィニッシャー部１５ｂとを一体的に備えている。ベンチレータグリル取付部１６は、ダクト部１５ａを保持可能な孔部または切欠部などとされている。
【００１６】
この実施例のものでは、図３、図４に示すように、サイドブラケット１７に外部の移載装置を取付けるための移載装置取付点２１を設ける。この移載装置取付点２１は、例えば、助力装置などの移載装置から突出された把持用ピンを挿入可能な把持孔などとする。そして、移載装置取付点２１をベンチレータグリル取付部１６の外側部近傍に位置させると共に、図１、図２に示すように、ベンチレータグリル１５の外側部分に移載装置取付点２１を隠すカバー２２を一体的に設ける。更に、図３、図４に示すように、ベンチレータグリル取付部１６の側部にカバー２２を保持可能なカバー保持部２３を設ける。このカバー保持部２３には、移載装置取付点２１と対応する部分に孔部２４を形成する。
【００１７】
次に、この実施例の作用について説明する。
【００１８】
組立てられたコックピットモジュール１１は、移載装置で持上げられて、車体フレームへ搭載される。この際、移載装置は、サイドブラケット１７に設定された移載装置取付点２１を利用してコックピットモジュール１１を持上げられる。そして、サイドブラケット１７を車体の左右のサイドフレームに取付けた後に、移載装置が取外される。
【００１９】
こうして車体フレームに搭載されたコックピットモジュール１１に対し、インストルメントパネル１２のベンチレータグリル取付部１６にベンチレータグリル１５を取付ける。これにより、ベンチレータグリル１５に一体に設けられたカバー２２によって移載装置取付点２１が隠される。
【００２０】
この実施例によれば、サイドブラケット１７に移載装置取付点２１を設け、移載装置取付点２１をベンチレータグリル取付部１６の外側に位置させることにより、移載装置取付点２１を正面から見えなくし、且つ、移載装置取付点２１の近傍にベンチレータグリル１５を配置することができるので、見栄えが向上する。
【００２１】
また、ベンチレータグリル１５の外側部分に移載装置取付点２１を隠すカバー２２を一体的に設けることにより、別部品としてのカバーが不要となり、部品点数および組付工数を減らしてコストを低減することができる。
【００２２】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００２３】
【図１】本発明の実施例の全体斜視図である。
【図２】図１の部分拡大図である。
【図３】ベンチレータグリルを取外した図２と同様の部分拡大図である。
【図４】図２の水平断面図である。
【図５】従来例の斜視図である。
【符号の説明】
【００２４】
１１  コックピットモジュール
１２  インストルメントパネル
１４  車体側メンバ
１５  ベンチレータグリル
１６  ベンチレータグリル取付部
１７  サイドブラケット
２１  移載装置取付点
２２  カバー
【図１】
2005178496.tif 000003
【図２】
2005178496.tif 000004
【図３】
2005178496.tif 000005
【図４】
2005178496.tif 000006
【図５】
2005178496.tif 000007